(57)【要約】【課題】貸し出し可能な賞媒体の数を遊技者に分かり易いように知らしめ得る遊技機を提供する。【解決手段】（Ｂ）に示すようにプリペイドカードの有価データに対応する遊技球の数と、（Ｃ）に示すように貸出可能な遊技球の数とを表示する。このため、例えば、地方税等でプリペイドカードの有価データに対応する遊技球の数と、貸出可能な遊技球とが異なる際に、遊技者に分かり易く違いを表示することができる。【選択図】　図３
2004049501.tif 000002
【特許請求の範囲】
【請求項１】
プリペイドカードから有価データの範囲内で遊技者が賞媒体貸ボタンを操作することで、賞媒体が貸し出される遊技機において、
表示装置に、プリペイドカードの有価データに対応する賞媒体の数と、貸出可能な賞媒体の数とを表示し得るようにしたことを特徴とする遊技機。
【請求項２】
ホール側に預けた賞媒体の数を記録する会員カードから、遊技者が賞媒体貸ボタンを操作することで、賞媒体が貸し出される遊技機において、
表示装置に、ホール側に預けた賞媒体の数と、貸出可能な賞媒体の数とを表示し得るようにしたことを特徴とする遊技機。
【請求項３】
ホール側に預けた賞媒体の数を記録する会員カードから、遊技者が賞媒体貸ボタンを操作することで、賞媒体が貸し出される遊技機において、
表示装置に、ホール側に預けた賞媒体の数と、貸出可能な賞媒体の数に対応する金額とを表示し得るようにしたことを特徴とする遊技機。
【請求項４】
賞媒体貸ボタンを操作に応じた賞媒体の貸し出し中に賞媒体の貸出不能に成った際に、貸し出しが行えなかった賞媒体の数を表示することを特徴とする請求項１〜請求項３のいずれか１の遊技機。
【請求項５】
遊技者が予め所有している有価価値の担体から、遊技者が賞媒体貸ボタンを操作することで、所定の大きさの有価価値を引き落として賞媒体が貸し出される遊技機において、
表示装置に、遊技者の所有している有価価値に対応する賞媒体の数と、貸出可能な賞媒体の数とを表示し得るようにしたことを特徴とする遊技機。
【発明の詳細な説明】
【０００１】
【発明の属する技術分野】
この発明は、プリペイドカード、会員カード等の有価価値の担体の基づき賞媒体貸ボタンの操作に基づく球貸出機からの指示により、遊技球、コイン等の賞媒体を貸し出すパチンコ機、スロットル機等の遊技機に関するものである。
【０００２】
【従来の技術】
パチンコ機は、貸球の方法によりいわゆる現金機とカード機（プリペイドカード式遊技機）とに分けられる。プリペイドカード式遊技機では、遊技機本体に隣接して球貸出機（所謂ＣＲサンド）が配設され、遊技者が、プリペイドカードを球貸出機へ挿入し、遊技機本体の上皿前面に設けられた貸球ボタンを操作することで、球貸出機での設定金額に応じた遊技球が、賞球と同様に遊技機内部から上皿へ払い出される構成になっている。
【０００３】
ホールによっては、会員カードを設け、遊技球を預かることが行われている。会員カードには、磁気ストライプ等が設けられ、遊技者により預けられた遊技球の個数が記憶される。この記憶個数に基づき球貸し、或いは、景品との交換が行われる。会員カードによる球貸しは、専用の貸球機に会員カードを挿入し、貸球ボタンを操作することで行われる。遊技者は、貸し出された遊技球を持って、現金機で遊技を行う。
【０００４】
【発明が解決しようとする課題】
従来より自治体により独自の課税は行い得たが、支出入の均衡を図るため幾つかの自治体で、狭い特定の範囲での徴税が検討されている。例えば、パチンコ機のプリペイドカードに対しての徴税も検討されている。現在、遊技球の単価は全国統一で１個４円であり、１０００円のプリペイドカードに対しては日本全国どこのホールでも２５０個の遊技球が貸し出される。しかし、特定の県、市町村で、プリペイドカードに対する課税がなされると、１０００円のプリペイドカードに対して課税された残り個数の遊技球が貸し出されることになり、遊技者に分かり難くなることが予想される。特に、プリペイドカードが全国共通で用いられているため、同じプリペイドカードを用いて、係る徴税を行う県と、行わない県とで貸球個数が異なることになる。同様に、税率の異なる県をまたがって同じプリペイドカードを用いると、貸球個数が異なるため、遊技者には非常に分かり難くなる。
【０００５】
上述したように、会員カードによる貯球、貸球が遊技者の便宜のために行われるが、専用の貸球機により、遊技球として貸し出される点において、遊技者に不便をしいている。ここで、近い将来において、例えば、会員カードにより直接パチンコ機で遊技球が貸し出されるようになることが予想される。しかしながら、会員カードによる遊技球の貸し出しは、ホール側の手数料を差し引いてから行われるため、会員カードでの貯留球数と貸し出される球との手数料分の差があり、遊技者には分かり難いという課題が発生することが予想される。例えば、４５個の貯球に対して、２０個の手数料を差し引いて２５個を貸し出す場合には、遊技者は、会員カードには貯球数しか書き込まれておらす、貯球数で現状を把握しているため、何球の貸球が行い得るかが分かり難い。更に、遊技者によっては、遊技球を個数ではなく、金額として捉えている場合もある。例えば、１２５球ではなく、５００円分という把握のしかたをしている遊技者もいる。係る遊技者にとって、貸球個数で表示したとしても、やはり分かり難いことは否めない。
【０００６】
本発明は、上述した課題を解決するためになされたものであり、その目的とするところは、貸し出し可能な賞媒体の数を遊技者に分かり易いように知らしめ得る遊技機を提供することにある。
【０００７】
【課題を解決するための手段及び発明の効果】
上述した課題を解決するため請求項１は、プリペイドカードから有価データの範囲内で遊技者が賞媒体貸ボタンを操作することで、賞媒体が貸し出される遊技機において、
表示装置に、プリペイドカードの有価データに対応する賞媒体の数と、貸出可能な賞媒体の数とを表示し得るようにしたことを技術的特徴とする。
【０００８】
請求項１の遊技機では、プリペイドカードの有価データに対応する賞媒体（遊技球、コイン）の数と、貸出可能な賞媒体の数とを表示するため、例えば、地方税等でプリペイドカードの有価データに対応する賞媒体の数と、貸出可能な賞媒体とが異なる際に、遊技者に分かり易く違いを表示することができる。特に、自治体毎に税率が異なり同一のプリペイドカードで、自治体毎に貸し出し数が違ってくる際にも、遊技者の貸し出し得る賞媒体の数を知らしめ、混乱を避けることが可能である。
【０００９】
請求項２は、ホール側に預けた賞媒体の数を記録する会員カードから、遊技者が賞媒体貸ボタンを操作することで、賞媒体が貸し出される遊技機において、
表示装置に、ホール側に預けた賞媒体の数と、貸出可能な賞媒体の数とを表示し得るようにしたことを技術的特徴とする。
【００１０】
請求項２の遊技機は、会員カードでは、ホール側に預けた賞媒体の数から、ホール側での手数料を差し引いた数が貸出可能な賞媒体の数となるため、遊技者にとって貸し出し可能な賞媒体の数が分かり難いが、ホール側に預けた賞媒体の数と貸出可能な賞媒体の数とを表示し得るようにすることで、遊技者に貸し出し可能な賞媒体の数を容易に理解せしめ得る。
【００１１】
請求項３は、ホール側に預けた賞媒体の数を記録する会員カードから、遊技者が賞媒体貸ボタンを操作することで、賞媒体が貸し出される遊技機において、
表示装置に、ホール側に預けた賞媒体の数と、貸出可能な賞媒体の数に対応する金額とを表示し得るようにしたことを技術的特徴とする。
【００１２】
請求項３の遊技機は、会員カードでは、ホール側に預けた賞媒体の数から、ホール側での手数料を差し引いた数が貸出可能な賞媒体の数となるため、遊技者にとって貸し出し可能な賞媒体の数に対応する金額が分かり難いが、ホール側に預けた賞媒体の数と貸出可能な賞媒体の数に対応する金額とを表示し得るようにすることで、遊技者に貸し出し可能な賞媒体の数に対応する金額を容易に理解せしめ得る。
【００１３】
請求項４の遊技機は、賞媒体貸ボタンを操作に応じた賞媒体の貸し出し中に賞媒体の貸出不能に成った際に、貸し出しが行えなかった賞媒体の数を表示するため、遊技者及びホール側に、度数ではなく正確に何個の貸し出しが行えなかったかを表示することができる。
【００１４】
請求項５の遊技機では、遊技者が予め所有している有価価値の担体から、遊技者が賞媒体貸ボタンを操作することで、所定の大きさの有価価値を引き落として賞媒体が貸し出される遊技機において、
表示装置に、遊技者の所有している有価価値に対応する賞媒体の数と、貸出可能な賞媒体の数とを表示し得るようにしたことを技術的特徴とする。
【００１５】
請求項５の遊技機は、遊技者の所有している有価価値（プリペイドカード、会員カード）に対応する賞媒体の数と貸出可能な賞媒体の数とが異なっても、有価価値に対応する賞媒体の数と貸出可能な賞媒体の数とを表示するため、遊技者に貸し出し可能な賞媒体の数を容易に理解せしめ得る。
【００１６】
【発明の実施の形態】
以下、本発明のパチンコ機の実施形態について図を参照して説明する。
なお、以下の第１実施形態では、本発明のパチンコ機として、ＣＲ第１種のパチンコ機を代表に説明する。まず、第１実施形態のパチンコ機の主要構成について、本実施形態のパチンコ機を正面から見た説明図である図１を参照して説明する。
【００１７】
パチンコ機１０には、内枠１１が開閉可能に備えられており、その内枠１１には、金枠１２が開閉可能に取付けられており、さらに金枠１２には、ガラス枠２６が開閉可能に取付けられている。ガラス枠２６の裏面側には、遊技盤１３が配置されている。内枠１１の右側には、ガラス枠２６開閉用の鍵を差し込む鍵穴１５を備えた鍵穴飾り１６が設けられている。
【００１８】
ガラス枠２６の下には、前面板１８が設けられており、この前面板１８の左側上部には、賞球及び貸球が導出される上皿賞球排出口１９が形成されており、この上皿賞球排出口１９の排出側には、その上皿賞球排出口１９から排出された遊技球を溜めておくための上皿２０が取り付けられている。上皿２０の下方には、その上皿２０で収容しきれなくなった賞球を排出するための下皿賞球排出口２１が形成されており、この下皿賞球排出口２１の排出側には、その下皿賞球排出口２１から排出された賞球を溜めておくための下皿２２が設けられている。
【００１９】
下皿２２の右方には、上皿２０から供給された遊技球を遊技盤１３へ発射する発射モータ（図示せず）を操作するための発射ハンドル２３が、回転可能に取付けられており、その発射ハンドル２３には、発射途中で発射を停止するための発射停止ボタン２４が設けられている。また、上皿２０の右方には、上皿２０に溜められた賞球を下皿２２へ抜くための上皿球抜きレバー２５がスライド可能に取付けられている。
【００２０】
さらに、パチンコ機の左側には、プリペイドカードユニット（球貸出機：ＣＲサンド）２７が設けられている。プリペイドカードユニット２７の上部には、球貸出個数設定表示装置２８が設けられている。球貸出個数設定表示装置２８の上部には、プリペイドカードユニット２７の動作中を示すＬＥＤ２８ｃと、球貸出個数を設定するための球貸出個数設定ボタン２８ａと、当該球貸出個数設定ボタン２８ａで設定された個数に相当する金額を表示する金額表示器２８ｂとが設けられている。この球貸出個数設定ボタン２８ａを操作することで、１００円分の貸球（２０球：１球４円＋地方税１円）、２００円分の貸球（４０球）、３００円分の貸球（６０球）、５００円分の貸球（１００球）のいずれかを設定でき、設定された金額が金額表示器２８ｂにて表示される。そして、後述するように貸球ボタン９２が押されると、球貸出個数設定表示装置２８に設定された金額に相当する個数の遊技球が、パチンコ機内部から上皿２０へ貸し出される。プリペイドカードユニット２７の下部にはプリペイドカードを挿入するスリット２７ａが設けられている。
【００２１】
次に、上皿２０の前面に設けられた操作ボタンについて図２を参照して説明する。上皿２０の前面には、遊技球を貸し出すための貸球ボタン９２と、プリペイドカードの残り度数等を表示する液晶からなる表示装置９８と、表示装置９８の表示内容を切り替える切替ボタン９４と、プリペイドカードを返却するための返却ボタン９６とが設けられている。ここで、貸球ボタン９２は、プリペイドカードユニット２７にプリペイドカードが挿入されている際には、貸球を指示する貸球ボタン９２として、他方、プリペイドカードが挿入されていない時には、累積貸球個数をクリアする累積貸球個数クリアボタンとして作動する。
【００２２】
第１実施形態のパチンコ機では、切替ボタン９４を操作することで、表示装置９８での表示内容を切り替えることができる。この表示内容について、図３を参照して説明する。
プリペイドカードユニット２７にプリペイドカードが挿入され、切替ボタン９４が操作されない状態では、図３（Ａ）に示すように、プリペイドカードの残り度数、例えば、３０００円のプリペイドカードが挿入されると、「３０」が表示される。ここでは、度数で表示したが残り金額を表示することもできる。そして、切替ボタン９４が１度押されると、図３（Ｂ）に示すように、プリペイドカードの残り金額に対応する遊技球の数を対応個数として表示する。この例では、３０００円分のプリペイドカードに対応する個数として、「７５０」個を表示している。更に切替ボタン９４が押されると、図３（Ｃ）に示すように、プリペイドカードの残り金額に対応する貸し出し可能な遊技球の数を表示する。この例では、本パチンコ機が置かれる自治体で、２０％を地方税として徴収しているとするなら、上記７５０個から２０％分減少させた「６００」個を表示する。ここで、更に切替ボタン９４が押されると、図３（Ｄ）に示すように、累積貸出個数が表示される。プリペイドカード挿入前に累積貸球個数をクリアする累積貸球個数クリアボタン９２が操作されているときには、「０」が表示される。
【００２３】
ここで、遊技者が貸球ボタン９２を操作し、５００円分の貸球（１００個）を受けると、図３（Ａ）に示すプリペイドカードの残り度数としては、「２５」が表示される。そして、切替ボタン９４が１度押されると、図３（Ｂ）に示すプリペイドカードの残り金額に対応する遊技球の個数として、「６２５」個が表示される。更に切替ボタン９４が押されると、図３（Ｃ）に示す貸し出し可能な遊技球の個数「５００」個が表示される。ここで、更に切替ボタン９４が押されると、図３（Ｄ）に示す累積貸球個数として「１００」個が表示される。なお、第１実施形態のパチンコ機では、挿入されたプリペイドカードが使い切られ、次のプリペイドカードが挿入されると、使い切られたプリペイドカードでの累積貸球個数に加えて、次のプリペイドカードで貸し出された遊技球が数が加算されて表示される。
【００２４】
ここでは、税率が２０％の例を挙げたが、上記パチンコ機の置かれた県に隣接する県で、税率が１２％の場合には、図３（Ｂ）に示す対応個数「７５０」における貸出可能個数として、図３（Ｃ）に示す貸出可能個数として、「６６０」個が表示される。また、係る税金を徴収しない県においては、図３（Ｂ）に示す対応個数「７５０」における貸出可能個数として、図３（Ｃ）に示す貸出可能個数として、「７５０」個が表示されることになる。
【００２５】
第１実施形態では、図３（Ｂ）に示すようにプリペイドカードの有価データに対応する遊技球の数と、図３（Ｃ）に示すように貸出可能な遊技球の数とを表示するため、例えば、地方税等でプリペイドカードの有価データに対応する遊技球の数と、貸出可能な遊技球とが異なる際に、遊技者に分かり易く違いを表示することができる。特に、自治体毎に税率が異なり同一のプリペイドカードで、自治体毎に貸し出し数が違ってくる際にも、遊技者の貸し出し得る遊技球の数を知らしめ、混乱を避けることが可能である。
【００２６】
また、第１実施形態では、貸球ボタン９２を操作に応じた遊技球の貸し出し中に遊技球の貸出不能に成った際に、例えば、１度数（１００円分）に相当する２０個の貸出中、１８個を貸し出した際に、球切れ等により貸出が行えなくなった際には、図３（Ｅ）に示すように表示装置９８にエラーと共に貸し出しが行えなかった遊技球の数「２」を表示する。そして、払出可能になったとき、プリペイドカードの残り度数に関係なく払い出す。このため、遊技者及びホール側に、度数ではなく正確に何個の貸し出しが行えなかったかを表示することができる。
【００２７】
次に、パチンコ機１０の電気的構成についてそれをブロック図で示す図４を参照して説明する。
パチンコ機１０には、遊技全般を制御する主基板１００が設けられており、この主基板１００には、特別図柄表示器３４を制御する特別図柄制御装置１２０，パチンコ機に配設された各ＬＥＤランプを制御するランプ制御装置１４０、音声出力を制御する音声制御装置１７０、賞球及び貸球の払い出しを制御する払出制御基板１９０が接続されている。
【００２８】
主基板１００には、特別図柄制御装置１２０などの制御を行うＣＰＵ１０２と、このＣＰＵ１０２が実行する制御プログラムが記憶されたＲＯＭ１０４と、ＣＰＵ１０２が制御プログラムを実行する際にＲＯＭ１０４から読出された制御プログラムを一時的に記憶するＲＡＭ１０６とが搭載されている。
【００２９】
同様に、サブ制御基板である特別図柄制御装置１２０、音声制御装置１７０、ランプ制御装置１４０及び払出制御基板１９０にも、ＣＰＵ、ＲＯＭ、ＲＡＭが搭載されており、主基板１００とケーブルＣを介して接続されている。図中、払出制御基板１９０のＣＰＵ１９２、ＲＯＭ１９４、ＲＡＭ１９６のみを示す。
【００３０】
主基板１００には、更に、盤面中継基板２１０が接続されている。該盤面中継基板２１０には、普通電動役物を開放する普通電動役物用ソレノイド２１２と、普通図柄表示装置を制御する普通図柄表示基板２１４と、普通図柄作動用のゲートスイッチ２１６と、入賞検出スイッチ２２０，２２２，２２４と、大入賞口中継基板２３０とが接続されている。当該大入賞口中継基板２３０には、特定領域ソレノイド２３２と、大入賞口を開放する大入賞口用ソレノイド２３４と、特定領域の通過を検出する特定領域スイッチ２３６と、大入賞口への入賞数を計数するカウントスイッチ２３８とが接続されている。
【００３１】
主基板１００には、また、遊技枠中継基板２４０が接続されている。該遊技枠中継基板２４０には、下皿２２（図１参照）が満杯になったことを検出する下皿満杯検出スイッチ２４４、センサ中継基板２４６とが接続されている。
【００３２】
また、主基板１００には、第１種始動口を通過した遊技球を検出する第１種始動口スイッチ２０２、及び、入賞、エラー発生等に関する情報をパチンコホールの管理室などに設けられたホールコンピュータ（図示せず）へ送信するための遊技盤情報端子基板２８０が接続されている。
【００３３】
上述した払出制御基板１９０には、図１を参照して上述した遊技球を貸し出すための貸球ボタン９２と、図３を参照して上述した表示装置９８と、表示装置９８を切り替える切替ボタン９４と、プリペイドカードを返却するための返却ボタン９６とが接続されている。更に払出制御基板１９０には、発射ハンドル２３に内蔵された発射スイッチ２５２から出力される信号に従って発射モータ２５４を制御する発射モータ駆動基板２５０と、払出中継基板２７０とが接続されている。更に、払出制御基板には、表示装置９８の表示内容を制御するための表示制御装置３００を介して図１を参照して上述したプリペイドカードユニット２７が接続されている。該表示制御装置３００には、ＣＰＵ３０２、ＲＯＭ３０４、ＲＡＭ３０６が設けられている。該ＲＯＭ３０４には、１００円（１度数）に対応する遊技球数と払出可能個数とが記憶されており、これらの内容に変更があった際には、ＲＯＭ交換で対応する。このＲＯＭ３０４は、主基板と同様に不可逆的なネジ止めがなされる。
【００３４】
一方、払出中継基板２７０には、球切れを検出する貸球切れスイッチ２４２、賞球ユニット２７２及び貸球ユニット２７４が接続されると共に、センサ中継基板２４６を介して遊技枠中継基板２４０が接続されている。センサ中継基板２４６には、賞球払出を検出する賞球払出センサ２４８が接続されている。賞球ユニット２７２には、賞球を払い出すための賞球払出モータ２７６が収容されている。
【００３５】
主基板１００、特別図柄制御装置１２０、ランプ制御装置１４０，音声制御装置１７０、払出制御基板１９０には、主電源２９２の電力が、電源基板２９０から電力線Ｐを介して供給されるようになっている。
【００３６】
ここで、上述したパチンコ機の払出制御基板１９０による遊技球の貸し出しの動作について図５のフローチャートを参照して説明する。
払出制御基板１９０のＣＰＵ１９２は、先ず、エラー等により遊技球の未貸し出しが無いかを判断する（Ｓ６）。ここで、図３（Ｅ）を参照して上述したように２個の未貸し出しが有る際には（図６：Ｙｅｓ）、２個の払い出しを行うと共に、図３（Ｅ）に示す表示装置９８でのエラー表示を解除する（Ｓ８）。
【００３７】
一方、未貸し出しがないときには（Ｓ６：Ｎｏ）、プリペイドカードユニット２７にプリペイドカードが挿入されているか否かを判断し（Ｓ１２）、挿入されていないないときには（Ｓ１２：Ｎｏ）、貸球ボタン９２が操作されたか否かを判断する（Ｓ１４）。ここで、貸球ボタン９２の操作があった際には（Ｓ１４：Ｙｅｓ）、ＲＡＭ１９６に保持されている累積貸球個数をクリアする（Ｓ１６）。
【００３８】
上記プリペイドカードが挿入されているか否かのＳ１２の判断においてプリペイドカードが挿入されているときには（Ｓ１２：Ｙｅｓ）、貸球ボタン９２が操作されたかを判断し（Ｓ２０）、操作がないときには（Ｓ２０：Ｎｏ）、処理を終了する。他方、貸球ボタン９２が操作されたときには（Ｓ２０：Ｙｅｓ）、貸球ボタン９２の操作を図１に示すプリペイドカードユニット２７側に送信する。そして、該プリペイドカードユニット２７側からの１度数分の遊技球の払出指示に待機する（Ｓ２４）。そして、プリペイドカードユニット２７側から１度数分の遊技球の貸し出しが指示されると（Ｓ２４：Ｙｅｓ）、表示制御装置３００のＲＯＭ３０４に保持された１度数分に対応する遊技球の貸し出しを、払出中継基板２７０へ指示する（Ｓ２６）。そして、該払出中継基板２７０により遊技球が払い出されると、これを賞球払出センサ２４８が計数し、払出制御基板１９０側へ出力する。ＣＰＵ１９２は、賞球払出センサ２４８からの出力に待機しており（Ｓ２８）、出力を受信すると（Ｓ２８：Ｙｅｓ）、ＲＡＭ１９６に保持された累積貸球個数に加算する（Ｓ３０）。そして、球切れ等のエラーの受信に待機し（Ｓ３２）、エラーの受信がない限り（Ｓ３２：Ｎｏ）、１度数分の遊技球の貸し出し時間として設定された所定時間（例えば１秒）が経過したかを判断し（Ｓ３６）、所定時間経過前は（Ｓ３６：Ｎｏ）、Ｓ２８に戻り累積貸球個数の加算処理を続ける。所定時間が経過すると（Ｓ３６：Ｙｅｓ）、貸球数が１度数分（ここでは、２０球）よりも少ないか否かを判断する（Ｓ３８）。ここで、貸球数が少ないときは（Ｓ３８：Ｙｅｓ）、また、上述したＳ３２の判断で、エラーを受信した場合（Ｓ３２：Ｙｅｓ）、図３（Ｅ）を参照して上述したように表示装置９８にてエラー表示を行う（Ｓ３４）。
【００３９】
一方、貸球数が１度数分の数と等しいときには（Ｓ３８：Ｎｏ）、プリペイドカードユニット２７側に１度数分の貸球が完了したことを送信する（Ｓ４０）。これにより、プリペイドカードユニット２７は、プリペイドカードの価値データから１度数分を差し引くとともに、更に、貸球の必要があるとき、例えば、５００円分の貸球を遊技者から指示され、１００円分の貸球が完了した時点では、次の１００円分の貸球を行うようパチンコ機側の払出制御基板に指示を出す。この処理を５回繰り返すことで、５００円分の貸球が行われる。ここで、該パチンコ機ユニット２７側からの次の１度数分の貸球の指示があると（Ｓ４２：Ｙｅｓ）、Ｓ２６に戻り１度数分の貸し出しを行う。他方、５００円分の５回の貸球が完了し、設定された時間内に貸球の指示がないときには（Ｓ４２：Ｎｏ）、処理を終了する。
【００４０】
引き続き、表示制御装置３００による図３を参照して上述した表示装置９８での表示処理について、図６のフローチャートを参照して説明する。
表示制御装置３００のＣＰＵ３０２は、プリペイドカードユニット２７側から残り度数を受信している（Ｓ５２）。そして、切替ボタン９４の操作がないと（Ｓ５４：Ｎｏ）、図３（Ａ）に示すようにプリペイドカードの残り度数を表示する（Ｓ５６）。
【００４１】
そして、切替ボタン９４が１度押されると（Ｓ５４：Ｙｅｓ、Ｓ５８：Ｎｏ）、プリペイドカードの残り度数に対応する遊技球の数をＲＯＭ３０４に保持された単価から演算して図３（Ｂ）に示すよう表示装置９８に表示する（Ｓ６０）。
【００４２】
更に、切替ボタン９４が押されると（Ｓ５８：Ｙｅｓ、Ｓ６２：Ｎｏ）、プリペイドカードの遊技球の数に対応する貸出可能個数をＲＯＭ３０４に保持された税率から演算して図３（Ｃ）に示すよう表示装置９８に表示する（Ｓ６４）。
【００４３】
また、切替ボタン９４が押されると（Ｓ６２：Ｙｅｓ、Ｓ６６：Ｎｏ）、払出制御基板１９０から累積貸球個数を受信し図３（Ｄ）に示すように表示装置９８に表示する（Ｓ６８）。更に、切替ボタン９４が押されると（Ｓ６６：Ｙｅｓ）、Ｓ５６に戻り、プリペイドカードの残り度数を表示する。
【００４４】
［第２実施形態］
引き続き、本発明の第２実施形態に係るパチンコ機について説明する。
図７は、第２実施形態に係るパチンコ機１０を示している。図１を参照して上述した第１実施形態のパチンコ機では、プリペイドカード専用のプリペイドカードユニット２７が隣接して設けられていた。この第２実施形態のプリペイドカードでは、プリペイドカードユニット２７が、プリペイドカードのみでなく、遊技者によりホール側へ預けられた遊技球の個数を記憶する会員カードにも対応し得るように構成されている。即ち、プリペイドカードユニット２７にプリペイドカードがカード挿入スリット２７ａへ挿入された際には、第１実施形態と同様に動作し、他方、会員カードが挿入された際には、会員カードでの貯球数に応じて、プリペイドカードと同様にパチンコ機１０内部から貸球が行われるように構成されている。なお、第２実施形態のパチンコ機の電気的構成は、図４を参照して上述した第１実施形態と同様であるため、図４を参照すると共に説明を省略する。
【００４５】
この第２実施形態のパチンコ機の表示装置９８での表示について図８を参照して説明する。なお、第２実施形態でも、プリペイドカードが挿入された際の表示装置９８での表示は、図３を参照して上述した第１実施形態と同様である。
切替ボタン９４が操作されないときには、図８（Ａ）に示すように、会員カードに記憶された貯球個数（この例では、「４５１」）、貸出可能な球数に相当する金額（この例では、「１０００」）、貸出可能個数（この例では「２５０」）が表示される。なお、貯球に対するホール側の手数料を差し引いた貸出可能個数は、例えば、４５個の貯球に対して、２０個のホール側手数料を差し引いて２５個であるなら、換算率４５→２４としてシール９９にて表示装置９８の上側で表示するのが好適である。この代わりに、表示装置９８内で換算率を表示することもできる。
【００４６】
ここで、遊技者が切替ボタン９４を１回操作すると、図８（Ｂ）に示すように、会員カードが挿入された時点での貯球の個数（この例では「５７６」）、貸し出された遊技球に対応する金額（この例では「５００」）、累積貸球個数（この例では「１２５」）が表示される。
【００４７】
会員カードでは、ホール側に預けた遊技球の数から、ホール側での手数料を差し引いた数が貸出可能な遊技球の数となるため、遊技者にとって貸し出し可能な遊技球の数が分かり難い。第２実施形態のパチンコ機では、ホール側に預けた遊技球の数と貸出可能な遊技球の数とを表示し得るようにすることで、遊技者に貸し出し可能な遊技球の数を容易に理解せしめ得る。
【００４８】
また、会員カードでは、ホール側に預けた遊技球の数から、ホール側での手数料を差し引いた数が貸出可能な遊技球の数となるため、遊技者にとって貸し出し可能な遊技球の数に対応する金額が特に分かり難い。第２実施形態のパチンコ機では、ホール側に預けた遊技球の数と貸出可能な遊技球の数に対応する金額とを表示し得るようにすることで、遊技者に貸し出し可能な遊技球の数に対応する金額を容易に理解せしめ得る。
【００４９】
図８を参照して上述した表示装置９８での表示は、表示制御装置３００（図４参照）により行われる。第２実施形態のパチンコ機での表示制御装置３００による表示装置９８での表示処理について、図９のフローチャートを参照して説明する。
表示制御装置３００のＣＰＵ３０２は、プリペイドカードユニット２７側から会員カードの貯球個数を受信している（Ｓ５２）。そして、切替ボタン９４の操作がないと（Ｓ５４：Ｎｏ）、図８（Ａ）に示すように会員カードの貯球個数（この例では、「４５１」）、貸出可能な球数に相当する金額（この例では、「１０００」）、貸出可能個数（この例では「２５０」）を表示する（Ｓ５６）。
【００５０】
そして、切替ボタン９４が１度押されると（Ｓ５４：Ｙｅｓ、Ｓ６６：Ｎｏ）、図８（Ｂ）に示すように会員カードが挿入された時点での貯球の個数と（この例では「５７６」）、貸し出された遊技球に対応する金額（この例では「５００」）、累積貸球個数（この例では「１２５」）を表示装置９８に表示する（Ｓ６８）。更に、切替ボタン９４が押されると（Ｓ６６：Ｙｅｓ）、Ｓ５６に戻り、図８（Ａ）に示す表示を行う。
【００５１】
この例では、パチンコ機を例に挙げたが、本実施形態の構成は、スロットル等の遊技機にも適用し得ることは言うまでもない。また、プリペイドカードを例に挙げたが、例えば、有価物との交換を媒介する種々の有価価値を担持する担体であれば何れにも適用可能である。
【図面の簡単な説明】
【図１】本発明の第１実施形態に係るパチンコ機の正面図である。
【図２】図１に示すパチンコ機の上皿前面の拡大図である。
【図３】（Ａ）〜（Ｅ）は、表示装置での表示内容の説明図である。
【図４】図１に示すパチンコ機の制御装置のブロック図である。
【図５】払出制御基板のＣＰＵによる貸球処理を示すフローチャートである。
【図６】表示制御基板のＣＵＰによる表示切替処理を示すフローチャートである。
【図７】本発明の第２実施形態に係るパチンコ機の正面図である。
【図８】（Ａ）、（Ｂ）は、第２実施形態に係るパチンコ機の表示装置での表示内容の説明図である。
【図９】第２実施形態に係るパチンコ機の表示制御基板のＣＵＰによる表示切替処理を示すフローチャートである。
【符号の説明】
１０　パチンコ機
１３　遊技盤
２０　上皿
２２　下皿
２３　発射ハンドル
２７　プリペイドカードユニット
９２　貸球ボタン
９４　切替ボタン
９６　返却ボタン
９８　表示装置
【図１】
2004049501.tif 000003
【図２】
2004049501.tif 000004
【図３】
2004049501.tif 000005
【図４】
2004049501.tif 000006
【図５】
2004049501.tif 000007
【図６】
2004049501.tif 000008
【図７】
2004049501.tif 000009
【図８】
2004049501.tif 000010
【図９】
2004049501.tif 000011